(57)【要約】【課題】  さや管ヘッダー工法において可撓管の継手の支持高さを調整する際の作業手間を軽減して容易に高さ調整を行うことができるようにし、これにより配管作業の効率を高めるとともに、簡単な構造で製造コストの廉価化を図ることのできる管継手支持構造を提供する。【解決手段】  支持ボックス２には、管継手１の支持突部１１が係止する係合溝２４が形成されている。係合溝２４は、上面視放射状に配列されており、対向する一対の係合溝２４同士が同じ深さで形成されている。このうち適当な深さの係合溝２４に、管継手１の支持突部１１，１１を係止させ、支持ボックス２に管継手１を嵌装することにより、管継手１を所望の高さ位置に支持固定することができる。【選択図】  図１
2006275263.tif 000002
【特許請求の範囲】
【請求項１】
躯体床面と仕上床との間の所定高さ位置に円筒状の支持ボックスが設置され、この支持ボックスに管継手が嵌装されて支持されるとともに、この管継手を嵌装した支持ボックスに固定カバーが外嵌されて抜け止めされる管継手支持構造であって、
管継手の外周面には支持突部が突設され、支持ボックスの上部内周面には、前記管継手の支持突部が係止しうる深さの異なる係合溝が複数個形成されて、このうち適当な深さの係合溝に管継手の支持突部を係止させて支持ボックスに管継手を嵌装することにより、管継手が所望の高さ位置で支持固定されることを特徴とする管継手支持構造。
【請求項２】
管継手の支持突部が管軸に対して左右対称に２片突設されるとともに、支持ボックスの各係合溝は上面視放射状に配列されており、対向する一対の係合溝同士が同じ深さで形成されていることを特徴とする請求項１に記載の管継手支持構造。
【発明の詳細な説明】
【技術分野】
【０００１】
本発明は、さや管ヘッダー工法における管継手の支持構造に関する。
【背景技術】
【０００２】
従来から、さや管ヘッダー工法において、さや管となる樹脂製可撓管を床下に配管施工し、床上の器具へと接続する際に用いられる管継手は、躯体床面の固定座金に立設した支持ボルトに架設された支持具によって支持されている。この従来の支持具は、内部に継手を収納する収納体と、収納体内に収納された継手を抜止め状態に固定する固定リングとを備えている。支持具が設置される躯体床面は、施工精度によってはそれほど平らではなく、凹凸のある場合がある。そこで、この種の支持具は、支持ボルトに挿通された調整座金と、収納体の外周に設けられた鍔部とがビス止めされ、この調整金具の上下に取付られた調整ナットを支持ボルトに対して上下させることによって、支持具の高さ調整を行えるようになっている。そして、このように高さ調整した支持具に対し、その後、仕上材の床貼り工事を行って、仕上床上に配管する直管を接続するようになされていた。
【０００３】
しかし、かかる支持具を使用する場合、継手収納体の高さ調整は床貼りする前に行わなければならず、床貼り後にはできないため、躯体床面の凹凸に気付かずに支持具を設置固定してしまうと、支持具が仕上床上に突出したり引っ込んでしまったりして、仕上床面へ化粧カバー等を納まりよく設置することができず、もう一度仕上床を剥がして、支持具の高さを調整し、仕上床を貼り直すという面倒な作業が必要になっていた。
【０００４】
そこで、最近では躯体床面の凹凸や床施工時の誤差等によって支持具の高さ調整が必要になったときに、床貼り後であってもその高さ調整が行えるように意図された、例えば特許文献１に記載されたような支持具も提案されている。
【０００５】
図３に示すように、この種の支持具８は、躯体床面に固定された固定座金８１と支持ボルト８２１および調整ナット８２２を有する支持台８２の上に、外周面に雄ねじ部８３１が形成され、内周面に雌ねじ部８３２が形成された基台８３と、この基台８３の雌ねじ部８３２に螺合して上下に動き、管継手８５が内側に挿装される調整スリーブ８４と、基台８３の雄ねじ部８３１に螺合して管継手８５を固定する固定リング８６を備えた構成とされている。固定方法は、調整スリーブ８４を基台８３に対して半分程度螺合させた状態としておき、調整スリーブ８４内に管継手８５を挿入する。次に係止爪を設けた止め具８７とビス８８とを用いて、基台８３と床下に配管した可撓管とを接続固定し、この状態で床板を貼るようになされる。
【特許文献１】特許第２６０９９７２号公報
【発明の開示】
【発明が解決しようとする課題】
【０００６】
しかしながら、上記のような支持具８を用いても、床貼り後に高さ調整を行おうとすれば、固定リング８６を取り外してから管継手８５を抜き取り、そして調整スリーブ８４を回転させて高さを調整しなければならず、螺合された部材ばかりで調整作業に手間がかかり、部品点数も多かった。また、このとき、仕上床よりも支持具が引っ込んでしまっている場合には、調整スリーブ８４が床下にあるため、調整作業が非常にしにくいものであった。加えて、前記支持具８は、基台８３の内外両周面にねじ部を形成しなければならない構成であり、より簡単に低コストで製造でき、かつ容易に高さ調整を行うことのできる管継手の支持構造が求められていた。
【０００７】
そこで本発明は、上記のような問題点にかんがみてなされたものであり、さや管ヘッダー工法において可撓管の継手の支持高さを調整する際の作業手間を軽減して容易に高さ調整を行うことができるようにするとともに、可撓管の継手を支持するのに必要な部品点数を減らして配管作業の効率を高め、簡単な構造で製造コストの廉価化を図ることのできる管継手支持構造を提供するものである。
【課題を解決するための手段】
【０００８】
上記した目的を達成するため、本発明は、躯体床面と仕上床との間の所定高さ位置に円筒状の支持ボックスが設置され、この支持ボックスに管継手が嵌装されて支持されるとともに、この管継手を嵌装した支持ボックスに固定カバーが外嵌されて抜け止めされる管継手支持構造であって、管継手の外周面には支持突部が突設され、支持ボックスの上部内周面には、前記管継手の支持突部が係止しうる深さの異なる係合溝が複数個形成されて、このうち適当な深さの係合溝に管継手の支持突部を係止させて支持ボックスに管継手を嵌装することにより、管継手が所望の高さ位置で支持固定されることを特徴とする。
【０００９】
この構成によれば、管継手は支持ボックスに形成された係合溝に支持突部が係止して支持されるので、この係止溝の深さによって管継手の支持高さを変えることができる。これにより、管継手の高さ位置を所望の高さに調整するには、床貼り後であっても管継手を引き上げて支持ボックスの適当な深さの係止溝に支持突部を係止させて管継手を設置し直すだけで済み、簡単に高さ調整を行うことができる。また、かかる構造とすることで、支持ボックスの内側に従来の支持具にあったような雌ねじ部を形成する必要がなくなって、簡単な構造になり製造コストを低減させることもできる。
【００１０】
また、本発明は前記構成の管継手支持構造において、管継手の支持突部が管軸に対して左右対称に２片突設されるとともに、支持ボックスの各係合溝は上面視放射状に配列されており、対向する一対の係合溝同士が同じ深さで形成されていることが好ましい。
【００１１】
このような構成とすることにより、２片の支持突部が支持ボックスの一対の係合溝にそれぞれ係止されて、管継手をがたつかせることなく納まりよく安定的に支持させることができる。
【発明の効果】
【００１２】
上述のように構成される本発明の管継手支持構造によれば、管継手の支持高さを調整する際の作業手間が軽減され、必要に応じて容易に高さ調整を行うことができるので、配管作業の効率を高めることができる。また、本発明の管継手支持構造における各構成部材はそれぞれ、従来の支持具よりも簡単な構造とすることができるので製造コストの廉価化を図ることができる。
【発明を実施するための最良の形態】
【００１３】
以下、本発明に係る管継手支持構造を実施するための最良の形態について、図面を参照しつつ説明する。
【００１４】
図１は本発明の管継手支持構造を示す分解斜視図、図２は図１の管継手支持構造を示す部分断面図である。
【００１５】
本発明の管継手支持構造は、図示しない躯体床面と仕上床５との間において実施される。仕上床５には、さや管の一端が遊動可能に挿通される開口５１が形成され、開口５１の直下には円筒状の支持ボックス２が躯体床面から所定の高さ位置に設置されている。
【００１６】
支持ボックス２は外周面に雄ねじ部２１が形成されている。支持ボックス２の下部には
、左右両側に鍔状に延設された固定板部２２を備え、その両端には、躯体床面に立設した支持ボルト８２１を挿通しうる挿通孔２３が形成されている。
【００１７】
この支持ボックス２の内側には管継手１が嵌装される。例示の形態では、管継手１には、外周面の上部に２片の支持突部１１が、管継手１の管軸に対して左右対称となる羽根状に突設されている。支持ボックス２の内周面には、この管継手１が嵌挿されたとき、支持突部１１を係止して支持しうる係合溝２４が設けられている。
【００１８】
例示の形態において、係合溝２４は、支持ボックス２の上部内周面に複数個形成されており、上面視放射状に配列されている。そして、対向する一対の係合溝２４同士は同じ深さの溝として形成され、深さの異なる一対の係合溝２４が合計６組設けられている。
【００１９】
かかる係合溝２４は、隣接する係合溝２４に対して例えば２ｍｍ単位で深さが異なるように形成されて、周方向に順に深さが深くなる（または浅くなる）ような構成とされることが望ましい。
【００２０】
そして、これらの深さの異なる係合溝２４のうち、適当な深さの係合溝２４に管継手１の支持突部１１を係止させて、支持ボックス２に管継手１を嵌装させる。管継手１を支持固定する高さは係合溝２４の深さによって変わるので、これを利用して、高さ調整するのに好ましい係合溝２４に支持突部１１を係止させ、管継手１の支持高さの調整を行うことができる構成である。
【００２１】
さらに、このように管継手１を嵌装した支持ボックス２の外側の雄ねじ部２４には、雌ねじ部４１を内周面に備えた固定カバー４が螺合されて、管継手１を抜け止めするように構成されている。
【００２２】
例示の形態において、支持ボックス２の係合溝２４は、前記したように対向する位置に同じ深さの係合溝２４を設けた構成に限らず、全ての係合溝２４を異なる深さで形成するとともに、これに係止される支持突部１１を管継手１に１片だけ突設して、いずれか一つの係合溝２４に係止される構成であってもよい。
【００２３】
また、管継手１の支持突部１１の長さは、最も深い係合溝２４の深さに対応させて形成されていることが好ましい。これにより、最も深い係合溝２４に支持突部１１を係止させたとき、係合溝２４の上部の固定カバー４との間に隙間ができないため、上下方向のがたつきが防止される。
【００２４】
以上説明したように、本発明に係る管継手支持構造においては、係合溝２４が上記のような構成とされることによって、支持ボックス２の上部内周面に管継手１が嵌挿されるとき、支持突部１１が支持ボックス２の内周面の係合溝２４に係止して支持される。したがって、管継手１の支持高さは、係合溝２４の深さに依拠することになるので、躯体床面の凹凸や床板の施工誤差などによって管継手１の支持高さや仕上床５との接続高さがずれていた場合には、調整する高さに見合う係合溝２４に、管継手１の支持突部１１を係止させることで、容易に高さ調整を行うことができる。
【００２５】
また、支持ボックス２の適宜の係合溝２４に管継手１の支持突部１１を係止させるだけの操作であるから煩雑な作業を一切必要とせず、床貼りの前後に関わらず、高さ調整が必要になった際にはいつでも高さ調整を行うことができ、作業性を格段に高めることができる。さらに支持突部１１は、管継手１の外周面に羽根状に２片形成されているので、一対の係合溝２４にそれぞれ係止されたとき、管継手１が位置決め固定され、横ずれやがたつきも防止することができる。また、上記のような構造とすることで、支持ボックスの内側
に従来の支持具にあったような雌ねじ部を形成する必要がなくなって、簡単な構造になり製造コストを低減させることもできる。
【産業上の利用可能性】
【００２６】
本発明に係る管継手支持構造は、さや管ヘッダー工法において水栓を取り付け、床下の配管を接続する管継手の支持構造として好適であり、仕上床の施工後にも容易に高さ調整を行えるようにするために利用することができる。
【図面の簡単な説明】
【００２７】
【図１】本発明に係る管継手支持構造を示す分解斜視図である。
【図２】図１の管継手支持構造を示す部分断面図である。
【図３】従来の管継手の支持具を示す分解斜視図である。
【符号の説明】
【００２８】
１    管継手
１１  支持突部
２    支持ボックス
２１  雄ねじ部
２２  固定板部
２３  挿通孔
２４  係合溝
４    固定カバー
５    仕上床
５１  開口
【図１】
2006275263.tif 000003
【図２】
2006275263.tif 000004
【図３】
2006275263.tif 000005